(57)【要約】【課題】臭気の侵入経路を特定し得る臭気侵入経路特定方法を提供する。【解決手段】本発明では、室内２への臭気の侵入経路を特定する臭気侵入経路特定方法であって、エチルアルコールの濃度が４０％以上のエチルアルコール溶液を準備する準備工程と、臭気の種類に基づいて室内２への臭気の推定侵入経路を決定する推定侵入経路決定工程と、室内２以外の場所で推定侵入経路と連通する箇所（掃除口８）を、エチルアルコール溶液を推定侵入経路に流入させる流入位置として選定する流入位置選定工程と、推定侵入経路に基づいて臭気センサ１６を室内２に設置する設置位置を選定する設置位置選定工程と、流入位置から推定侵入経路にエチルアルコール溶液を流入させる流入工程と、設置位置に設けた臭気センサ１６によって、エチルアルコール溶液が気化することで発生したエチルアルコールガスを測定する測定工程と、臭気センサ１６におけるエチルアルコールガスの測定結果に基づいて侵入経路を特定する侵入経路特定工程とを有する。【選択図】図１
2019066355.tif 000002
【特許請求の範囲】
【請求項１】
室内への臭気の侵入経路を特定する臭気侵入経路特定方法であって、
エチルアルコールの濃度が４０％以上のエチルアルコール溶液を準備する準備工程と、
前記臭気の種類に基づいて前記室内への前記臭気の推定侵入経路を決定する推定侵入経路決定工程と、
前記室内以外の場所で前記推定侵入経路と連通する箇所を、前記エチルアルコール溶液を前記推定侵入経路に流入させる流入位置として選定する流入位置選定工程と、
前記推定侵入経路に基づいて臭気センサを前記室内に設置する設置位置を選定する設置位置選定工程と、
前記流入位置から前記推定侵入経路に前記エチルアルコール溶液を流入させる流入工程と、
前記設置位置に設けた前記臭気センサによって、前記エチルアルコール溶液が気化することで発生したエチルアルコールガスを測定する測定工程と、
前記臭気センサにおける前記エチルアルコールガスの測定結果に基づいて前記侵入経路を特定する侵入経路特定工程と
を有する臭気侵入経路特定方法。
【請求項２】
前記室内への前記臭気の侵入に影響を与える事象を推定する事象推定工程と、
前記事象推定工程で推定した前記事象を再現する再現工程と、を備え、
前記測定工程は、前記再現工程により前記事象を再現しつつ、前記臭気センサによって前記エチルアルコールガスを測定する
請求項１に記載の臭気侵入経路特定方法。
【請求項３】
前記推定侵入経路決定工程では、前記推定侵入経路が排水系統に起因する経路であると決定し、
前記流入位置選定工程では、前記室内以外の場所で、前記排水系統の排水管に連通する箇所を、前記流入位置として選定し、
前記事象推定工程では、前記事象として、前記排水管内に所定量の排水が流れることであると推定し、
前記再現工程では、建物に設置されている排水設備を介して前記排水管内へ排水を強制的に流す
請求項２に記載の臭気侵入経路特定方法。
【請求項４】
前記推定侵入経路決定工程では、前記推定侵入経路が排水系統に起因する経路であると決定し、
前記流入位置選定工程では、前記室内以外の場所で、前記排水系統の排水管に連通する箇所を、前記流入位置として選定し、
前記事象推定工程では、前記事象として、換気ダクトを利用した室内換気が実行されることであると推定し、
前記再現工程では、建物に設置されている換気設備を操作することで、前記換気ダクトを利用した室内換気を実行する
請求項２に記載の臭気侵入経路特定方法。
【請求項５】
前記推定侵入経路決定工程では、前記推定侵入経路が換気系統に起因する経路であると決定し、
前記流入位置選定工程では、前記室内以外の場所で、前記換気系統の換気ダクトに連通する箇所を、前記流入位置として選定し、
前記事象推定工程では、前記事象として、前記換気ダクトを利用した室内換気が実行されることであると推定し、
前記再現工程では、建物に設置されている換気設備を操作することで、前記換気ダクトを利用した室内換気を実行する
請求項２に記載の臭気侵入経路特定方法。
【請求項６】
前記エチルアルコール溶液は、前記エチルアルコールの濃度が６０％以上である
請求項１〜５のいずれか１項に記載の臭気侵入経路特定方法。
【請求項７】
前記準備工程では、
前記エチルアルコール溶液と、前記エチルアルコールの濃度が６０％以上の再測定用エチルアルコール溶液と、の２種類を準備し、
前記侵入経路特定工程で特定した前記侵入経路に沿った位置に前記臭気センサを再配置する再配置工程と、
前記流入位置から前記再測定用エチルアルコール溶液を前記侵入経路に流入させる再流入工程と、
再配置した前記臭気センサによって、前記再測定用エチルアルコール溶液が気化することで発生したエチルアルコールガスを測定し、該エチルアルコールガスの測定結果に基づいて、前記侵入経路を再特定する侵入経路再特定工程と
を有する請求項１〜５のいずれか１項に記載の臭気侵入経路特定方法。
【請求項８】
前記再測定用エチルアルコール溶液の前記エチルアルコールの濃度は、前記エチルアルコール溶液の前記エチルアルコールの濃度より高い
請求項７に記載の臭気侵入経路特定方法。
【請求項９】
前記流入工程は、前記流入位置で前記推定侵入経路にダクトを介して送風機を接続する接続工程と、
前記ダクト内に前記エチルアルコール溶液を噴霧し、霧状の前記エチルアルコール溶液を前記推定侵入経路に前記送風機で送風する送風工程と
を有する請求項１〜８のいずれか１項に記載の臭気侵入経路特定方法。
【発明の詳細な説明】
【技術分野】
【０００１】
本発明は、臭気侵入経路特定方法に関する。
【背景技術】
【０００２】
近年、省エネの観点から、高気密高断熱住宅が注目されている（非特許文献１参照）。このような住宅は、住宅の気密性が高いため、住宅外から住宅内に臭気が入りにくい構造となっている。それにもかかわらず、住宅内において、下水臭や煙草臭などの臭気を不定期に感じる場合がある。
【先行技術文献】
【非特許文献】
【０００３】
【非特許文献１】株式会社丸山工務店「高気密高断熱住宅とは？」、[online]、平成２９年５月８日検索、インターネット（URL: http://howto.mk-home.info/airtight-high-insulated-houses）
【発明の概要】
【発明が解決しようとする課題】
【０００４】
住宅内で臭気を感じなくするためには、何らかの対策を講じる必要がある。そのためには、臭気の侵入経路を特定する必要がある。しかしながら、下水臭や煙草臭などの臭気の種類を、嗅覚により特定できたとしても、嗅覚のみで臭気の侵入経路まで特定することは難しいという問題があった。
【０００５】
そこで本発明は、上記のような問題に鑑みてなされたものであり、臭気の侵入経路を特定し得る臭気侵入経路特定方法を提供することを目的とする。
【課題を解決するための手段】
【０００６】
本発明の臭気侵入経路特定方法は、室内への臭気の侵入経路を特定する臭気侵入経路特定方法であって、エチルアルコールの濃度が４０％以上のエチルアルコール溶液を準備する準備工程と、前記臭気の種類に基づいて前記室内への前記臭気の推定侵入経路を決定する推定侵入経路決定工程と、前記室内以外の場所で前記推定侵入経路と連通する箇所を、前記エチルアルコール溶液を前記推定侵入経路に流入させる流入位置として選定する流入位置選定工程と、前記推定侵入経路に基づいて臭気センサを前記室内に設置する設置位置を選定する設置位置選定工程と、前記流入位置から前記推定侵入経路に前記エチルアルコール溶液を流入させる流入工程と、前記設置位置に設けた前記臭気センサによって、前記エチルアルコール溶液が気化することで発生したエチルアルコールガスを測定する測定工程と、前記臭気センサにおける前記エチルアルコールガスの測定結果に基づいて前記侵入経路を特定する侵入経路特定工程とを有する。
【発明の効果】
【０００７】
本発明の臭気侵入経路特定方法では、臭気が問題となっている部屋以外の場所からエチルアルコール溶液を推定侵入経路に流入させ、気化したエチルアルコールガスを選定した設置位置で測定することで、室内へのエチルアルコールガスの侵入位置を検出できるので、臭気の侵入経路を特定できる。
【図面の簡単な説明】
【０００８】
【図１】本発明を用いた下水臭の臭気侵入経路特定方法の一例を示す模式図である。
【図２】本発明を用いた煙草臭の臭気侵入経路特定方法の一例を示す模式図である。
【発明を実施するための形態】
【０００９】
（１）下水臭の侵入経路の特定について（第１実施形態）
（１−１）下水臭の侵入経路を特定する部屋について
先ず始めに、室内への下水臭の侵入経路を特定する場合について以下説明する。本実施形態では、図１に示すように、例えば部屋２の階上にトイレ１がある建物を一例とし、部屋２おいて、常時、或いは不定期に下水臭を感じたときに、部屋２への下水臭の侵入経路を特定する場合を例として説明する。
【００１０】
この場合、部屋２の天井裏３には、排水系統の設備として、所定位置に下水管（排水管）１０が延設されているとし、部屋２の天井３ａには、換気系統の設備として、換気口３ｂが設けられているとする。さらに、部屋２の階上にあるトイレ１には、例えば、臭気の発生原因と考えられる下水管１０に連通している、洋式便器５と、清掃用流し６と、手洗い用流し７と、掃除口８と、が設けられているとする。洋式便器５、清掃用流し６、及び手洗い用流し７は、排水設備であり、建物内にあるトイレ１に予め設置されている設備である。なお、説明の便宜上、洋式便器５、清掃用流し６、及び手洗い用流し７に給水するための給水管は図１では省略している。洋式便器５には、排水管５ａが接続されている。排水管５ａは、継手５ｂを介して下水管１０に接続された構成を有する。洋式便器５は、排水管５ａを介して下水管１０に排水を流すことができる。同様に、清掃用流し６が排水管６ａと継手６ｂとを介して下水管１０に接続され、手洗い用流し７が排水管７ａと継手７ｂとを介して下水管１０に接続されている。
【００１１】
掃除口８は、排水管８ａと継手８ｂを介して下水管１０に接続されている。掃除口８は、下水管１０を清掃するために、下水管１０へ水を流したり、掃除用具を挿入したりするために設けられている。下水管１０は、一端が共用下水管１１（排水管）に接続され、継手８ｂ側から共用下水管１１側に向かって下り勾配となった構成を有する。下水管１０は、洋式便器５などから排出された排水を重力によって共用下水管１１に導き、共用下水管１１に排水を流すことができる。
【００１２】
共用下水管１１は、排水系統の設備として、図示しない公共の下水道に接続されており、下水管１０から流入した排水を公共の下水道に流すことができる。このように、公共の下水道から下水管１０まで連通しているため、公共の下水道内の下水臭が、共用下水管１１を通って下水管１０にまで達することがある。そのため、各排水管５ａ、６ａ、７ａには、トラップといわれるＳ字部が設けられ、Ｓ字部にたまった水によって排水管５ａ、６ａ、７ａが塞がれている。Ｓ字部は、下水臭のトイレ１への侵入を防止できる。
【００１３】
掃除口８は、下水臭が掃除口８からトイレ１に侵入しないように、下水管１０の清掃時を除いて蓋によって密封されている。また、排水管５ａ、６ａ、７ａ、８ａと、下水管１０とは、継手５ｂ、６ｂ、７ｂ、８ｂによって接続され、継手５ｂ、６ｂ、７ｂ、８ｂにより、排水や下水臭が外部に漏出しないように、接続箇所の気密性が確保されている。そのため、下水管１０内の下水臭の天井裏３への漏出が防止され、通常、部屋２において下水臭を感じることはない。
【００１４】
本実施形態では、例えば、本来であれば下水臭を感じるはずのない部屋２において、常時又は不定期に下水臭を感じるとき、部屋２への下水臭の侵入経路を特定する場合について説明する。
【００１５】
（１−２）下水臭の侵入経路を特定する臭気侵入経路特定方法について
ここで、本発明の臭気侵入経路特定方法に用いる臭気侵入経路特定用具は、エチルアルコール溶液を噴霧するための噴霧器２１と、エチルアルコールガスを測定可能な臭気測定装置１５と、ビニールなどの可撓性が高い材質で形成された筒状のダクト２３と、送風機２２とで構成されている。臭気侵入経路特定用具を用いる際、作業者は、先ず始めに、例えば、部屋２の臭気調査を依頼した調査依頼者からのヒアリングや、作業者の嗅覚などを基に部屋２内で臭う臭気の種類を特定する。作業者は、特定した臭気の種類から、臭気が部屋２内に侵入する可能性が高い場所を推測する。この実施形態の場合、作業者は、自身の嗅覚や、調査依頼者からのヒアリングを基に、問題となる臭気が下水臭であることを特定する。次いで、作業者は、建物の見取り図を基に部屋２内に下水臭が侵入する可能性が高い排水系統に起因した経路を推測する。ここでは、部屋２の天井裏３に下水管１０が延設されていることから、下水管１０が下水臭の発生原因であり、下水管１０から漏出した下水臭が天井裏３から換気口３ｂを介して部屋２内に侵入している可能性が高いと推測できる。
【００１６】
次に、作業者は、下水管１０を確認する。この場合、下水管１０は、継手５ｂ、６ｂ、７ｂ、８ｂを用いた、つなぎ目を有していることから、下水管１０内の下水臭がつなぎ目から漏出している可能性がある。そのため、作業者は、調査依頼者が下水臭を感じた部屋２内の所定場所と、天井裏３と連通する換気口３ｂの近傍と、継手５ｂ、６ｂ、７ｂの近傍とを、センサ設置位置として選定する。
【００１７】
次いで、臭気測定装置１５を部屋２に設置する。ここで、本実施形態の臭気測定装置１５は、複数（例えば５つ）の臭気センサ１６と、これら臭気センサ１６が配線を介して接続されたパーソナルコンピュータ（以下、ＰＣと呼ぶ）１９とを有している。ＰＣ１９には、図示しない表示部に各臭気センサ１６の測定結果が表示される。各臭気センサ１６は、センサ本体１７と、各センサ本体１７に配線を介してそれぞれ１つずつ接続されたプローブ１８ａ、１８ｂ、１８ｃ、１８ｄ、１８ｅとを備えている。プローブ１８ａ、１８ｂ、１８ｃ、１８ｄ、１８ｅは、同一構成でなり、白金でなるコイルと、コイル近傍に設けられた温度センサと（共に、図１には不図示）を有している。
【００１８】
センサ本体１７は、臭気測定動作時、コイルに電流を流してコイルを加熱すると共に、コイルの温度を温度センサで測定する。このような臭気センサ１６は、コイルにエチルアルコールが付着するとコイルの温度が低下するため、コイルの温度を測定することで空気中のエチルアルコールを測定できる。さらに臭気センサ１６は、コイルの温度の低下度合いから、空気中に含まれるエチルアルコールの量を測定できる。本実施形態では、このような臭気センサ１６のプローブ１８ａを、下水臭が問題となっている部屋２内の所定場所（下水臭がすると調査依頼者に指摘された場所）に設置する。他の臭気センサ１６のプローブ１８ｂは、下水臭の部屋２への侵入経路と推測した換気口３ｂ近傍に設置し、さらに、他の臭気センサ１６のプローブ１８ｃ、１８ｄ、１８ｅは、下水臭が漏出している可能性が高いと推測した継手５ｂ、６ｂ、７ｂ近傍にそれぞれ設置する。
【００１９】
続いて、作業者は、下水臭の発生原因と推定した下水管１０内に、エチルアルコール溶液を導入可能な溶液導入口となる開口箇所を探す。この実施形態では、例えば、部屋２の階上にあるトイレ１内において、トラップといわれるＳ字部がない掃除口８を溶液導入口として選定する。作業者は、開口箇所である掃除口８の蓋を取り外し、ダクト２３を設置する。具体的には、ダクト２３の一方の開口端を掃除口８に接続し、他方の開口端を送風機２２に接続する。このとき、掃除口８とダクト２３との接続部、及び、送風機２２とダクト２３の接続部を、テープなどで目張りし、接続部における気密性を高めることが望ましい。
【００２０】
ダクト２３には、一方及び他方の開口端とは別に、筒状の連通部２３ａが側面に設けられている。連通部２３ａは、ダクト２３と同様にビニールなどの可撓性が高い材質で形成されており、一方の開口端がダクト２３内と連通し、他方の開口端が噴霧器２１の噴霧口と接続される。ここで、噴霧器２１は、容器内にエチルアルコール溶液が収容された構成を有し、エチルアルコール溶液を噴霧口から噴霧し得る。エチルアルコール溶液は、エチルアルコールと水とから構成されており、水によってエチルアルコールの濃度が所定濃度に調整されている。本実施形態では、事前に、市販のエタノール溶液（例えば、日本アルコール販売株式会社社製、変成エタノール）に水を加えて濃度を調整してエチルアルコール溶液を準備している。
【００２１】
臭気侵入経路特定方法に用いるエチルアルコール溶液は、エチルアルコールと水のみから作製されているため、人体に対する影響や、環境に対する影響も少なく、安全性を確保しつつ、居住空間に用いることができる。エチルアルコールの濃度は、気化してエチルアルコールガスとなった際に、遠隔位置に配置された臭気センサ１６でエチルアルコールが検出できるように４０％以上であることが望ましく、さらには、より遠い遠隔位置に配置した臭気センサ１６での検出感度を高めるために６０％以上であることが、より望ましい。なお、エチルアルコールの濃度は、８０％より大きくとなると、溶剤の融解を起こす可能性があるため、８０％以下であることが望ましい。
【００２２】
次いで、作業者は、送風機２２を作動させ、ダクト２３から掃除口８を介して下水管１０に気体を送出させる。この状態で作業者は、噴霧器２１により、連通部２３ａを介してダクト２３内にエチルアルコール溶液を噴霧する。このようにして、下水管１０へ向けて送風されているダクト２３内に、エチルアルコール溶液を噴霧することで、ダクト２３及び掃除口８を順次介して下水管１０へエチルアルコール溶液を流入させる。霧状のエチルアルコール溶液は、ダクト２３内や下水管１０内で気化してエチルアルコールガスとなる。このようにしてエチルアルコールガスを下水管１０内に充満させる。本実施形態の場合、エチルアルコール溶液は、霧状にすることで、送風機２２による送風で下水管１０まで送られ易くなり、かつダクト２３内や下水管１０内で気化し易くなるので、下水管１０内にエチルアルコールガスを容易に充満させ得る。
【００２３】
次いで、部屋２内の所定場所にプローブ１８ａを設置した臭気センサ１６や、換気口３ｂの近傍にプローブ１８ｂを設置した臭気センサ１６、継手５ｂ、６ｂ、７ｂの各近傍にプローブ１８ｃ、１８ｄ、１８ｅを設置した各臭気センサ１６によって、エチルアルコールガスをそれぞれ測定する。例えば、エチルアルコール溶液を推定侵入経路に流入させた後、すぐに、各臭気センサ１６による臭気の測定を開始する。臭気測定装置１５は、各臭気センサ１６でエチルアルコールガスの量（以下、検出量とも呼ぶ）を測定してゆき、検出量の時系列変化をＰＣ１９の表示画面に表示させる。作業者は、ＰＣ１９の表示画面に表示された、各臭気センサ１６による検出量の時系列変化を確認することで、エチルアルコールガスの部屋２内への侵入経路を認識できる。
【００２４】
ここで、例えば、下水管１０を流れる排水の量や、それに伴う下水管１０内の圧力の変化、共用下水管１１に他から多量の排水が流れ込むことによる下水管１０内の圧力の変化、換気設備として建物に設けられた換気装置（不図示）を動作させて、換気装置に接続され、外気と連通している排気ダクト（不図示）を利用して室内換気をすることにより生じる天井裏３内での空気の流れの変化などは、部屋内２へ下水臭が侵入する契機となりうる事象である。作業者は、必要に応じてこれら事象についても考慮して、部屋２内への下水臭の侵入経路を特定する。以下、部屋２内への臭気の侵入に影響を与える事象を考慮せずにエチルアルコールガスを測定する場合と、当該事象を考慮してエチルアルコールを測定する場合とに分けて、エチルアルコールガスの測定手順を説明する。
【００２５】
（１−２−１）部屋内への下水臭の侵入に影響を与える事象を考慮せずにエチルアルコールガスを測定する場合
この場合、下水臭の侵入経路と推定した下水管１０内にエチルアルコール溶液を流入させた後に、下水管１０と接続された、洋式便器５や、清掃用流し６、手洗い用流し７などから意図的に下水管１０に排水を流すことなく、各臭気センサ１６によってエチルアルコールガスを測定する。すなわち、下水管１０内の排水状態を極力変えずに、各臭気センサ１６によってエチルアルコールガスを測定する。また、例えば、部屋２や他の部屋（図示せず）の換気装置を停止させ、天井裏３の空気の流れを変えずに、各臭気センサ１６によってエチルアルコールガスを測定する。なお、トイレ１以外に設置された他の排水設備などからも意図的に共用下水管１１に排水を流さないようにしてもよい。
【００２６】
ここで、上述した実施形態においては、送風機２２から下水管１０内に送風を行いつつ、各臭気センサ１６によりエチルアルコールガスの測定を行う場合について述べたが、本発明はこれに限らない。例えば、送風機２２から下水管１０内に送風を行い、エチルアルコールガスを下水管１０に充満させた後、送風機２２を停止させ、各臭気センサ１６によりエチルアルコールガスの測定を行ってもよい。これにより、送風機２２からの送風によって下水管１０内の圧力に影響が生じることを防止しつつ、各臭気センサ１６によりエチルアルコールガスの測定を行うことができる。
【００２７】
例えば、継手５ｂの近傍に設置したプローブ１８ｃで、所定量以上のエチルアルコールガスを検出し、その他の継手６ｂ、７ｂ近傍に設置した他のプローブ１８ｄ、１８ｅで、所定量以上のエチルアルコールを検出しない場合がある。この場合には、下水管１０内に排水が流れていないにもかかわらず、下水臭が、下水管１０の継手５ｂ周辺のみから天井裏３に漏出していることが確認できる。また、この際、部屋２の換気口３ｂの近傍に設置したプローブ１８ｂや、部屋２内に設置したプローブ１８ａで、それぞれ所定量以上のエチルアルコールガスを検出する場合がある。この場合には、天井裏３に換気装置の影響がない状態で、継手５ｂ周辺から漏出した下水臭（エチルアルコールガス）が、天井裏３から換気口３ｂを通って部屋２内に流れ込んでいることが確認できる。かくして、エチルアルコールガスの測定結果を基に、下水管１０内から、天井裏３、換気口３ｂ及び部屋２内に向けて空気が流れる経路があることを確認でき、その結果、下水臭の部屋２への侵入経路を特定することができる。
【００２８】
また、時間経過とともに、各継手５ｂ、６ｂ、７ｂ近傍にプローブ１８ｃ、１８ｄ、１８ｅを設置した臭気センサ１６でエチルアルコールガスをそれぞれ検出することもある。この場合には、各臭気センサ１６におけるエチルアルコールガスの測定結果の時系列データと、各臭気センサ１６におけるエチルアルコールガスの検出量と、に基づいて、下水管１０の漏出箇所を特定する。例えば、継手５ｂ近傍のプローブ１８ｃにおいて、臭気測定開始当初から、所定量以上のエチルアルコールガスを検出しつつ、その他の継手６ｂ、７ｂ近傍の各プローブ１８ｄ、１８ｅにおいて、所定時間経過後に所定量以上のエチルアルコールガスを検出することもある。
【００２９】
そのような場合には、掃除口８から各継手５ｂ、６ｂ、７ｂまでの距離を基に、下水管１０内を通過するエチルアルコールガスが掃除口８から各継手５ｂ、６ｂ、７ｂまで到達する順序や時間などを推測する。そして、掃除口８から各継手５ｂ、６ｂ、７ｂまでのエチルアルコールガスの推測到達順序や推測到達時間などと、継手５ｂ、６ｂ、７ｂ近傍のプローブ１８ｃの検出時間・検出量と、を比較することで、継手５ｂ、６ｂ、７ｂ近傍からエチルアルコールガスが漏出しているのか否か、或いは、１つの継手５ｂから漏出した下水臭が天井裏３内に充満し、その結果、他の継手６ｂ、７ｂ近傍のプローブ１８ｃでもエチルアルコールガスを検出しているのか否かを判断できる。
【００３０】
一方、継手５ｂなどの近傍に設置したプローブ１８ｃ、１８ｄ、１８ｅや、部屋２内に設置したプローブ１８ａで、所定量以上のエチルアルコールガスを検出したものの、部屋２の換気口３ｂ近傍に設置したプローブ１８ｂで、所定量以上のエチルアルコールガスを検出しないこともある。この場合には、下水臭が換気口３ｂを通って部屋２内に侵入しておらず、下水臭が他の場所から部屋２内に侵入していることが確認できる。この場合、作業者は、建物の見取り図を基に部屋２内に下水臭が侵入する可能性が高い場所を改めて推測し、推定侵入経路の決定を再び行う。
【００３１】
（１−２−２）部屋内への下水臭の侵入に影響を与える事象を考慮してエチルアルコールを測定する場合
プローブ１８ａ、１８ｂ、１８ｃ、１８ｄ、１８ｅでエチルアルコールガスを検出しなかった場合は、部屋内への下水臭の侵入に影響を与える、何らかの事象があると考えられる。そこで、作業者は、時間経過に伴う周辺環境の変化を考慮して、下水管１０内のエチルアルコールガスを継続的に測定し、下水臭の部屋２内への侵入経路を特定する。また、作業者は、時間経過に伴う周辺環境の変化の他にも、例えば、下水管１０に排水を流して下水管１０内の排水の流れを意図的に変えたり、或いは、部屋２や他の部屋（図示せず）の換気装置を動作させて、天井裏３内の空気の流れを意図的に変えたりする。このように、作業者は、部屋２内への下水臭の侵入に影響を与えると思われる、不定期に発生する事象を、意図的に起こして、エチルアルコールガスを測定し、下水臭の部屋２内への侵入経路を特定する。
【００３２】
例えば、作業者は、調査依頼者からのヒアリングにより、大雨が降っているときにだけ部屋２内で下水臭を感じる、との情報を得る場合もある。作業者は、大雨時、屋上に設置された雨どいなどの雨水関係の排水設備（図示せず）などから排出された多量の雨水が共用下水管１１に流れ、その影響により下水管１０内の下水臭が部屋２内に侵入する可能性があると推定できる。
【００３３】
そこで、作業者は、大雨時に起こる事象を再現するために、屋上にある雨水関係の排水設備に対して強制的に水を流し、共用下水管１１内の排水状態を意図的に変える。このようにして作業者は、共用下水管１１を介して下水管１０内の状態も変えつつ、当該下水管１０内にエチルアルコール溶液を流入させる。この際、臭気測定装置１５は、各臭気センサ１６によってエチルアルコールガスを測定する。その結果、例えば、今まで、各プローブ１８ａ、１８ｂ、１８ｃ、１８ｄ、１８ｅにて所定量以上のエチルアルコールガスを検出していなかったが、大雨時に起こる事象を再現したことで、継手５ｂの近傍に設置したプローブ１８ｃにて、所定量以上のエチルアルコールガスを検出することもある。このような測定結果から、作業者は、大雨による多量の雨水が共用下水管１１内に流れ込むことで、下水管１０内の状態が変化し、その影響によって、通常は下水臭が漏出していない継手５ｂ周辺から、下水臭が天井裏３に漏出すると推測できる。
【００３４】
この際、換気口３ｂ近傍に設置したプローブ１８ｂや、部屋２内に設置したプローブ１８ａでも、それぞれ所定の量以上のエチルアルコールガスを検出した場合には、下水管１０内の圧力状態が変わることで継手５ｂ周辺から漏出した下水臭が、天井裏３から換気口３ｂを通って部屋２内へ侵入していると特定できる。このように、作業者は、不定期に部屋２内で下水臭を感じていた原因と、下水臭の部屋２への侵入経路と、を特定できる。
【００３５】
上述した実施形態においては、排水設備として、雨水を共用下水管１１内に供給する排水設備を適用した場合について述べたが、本発明これに限らない。例えば、図１に示すような、洋式便器５、清掃用流し６、及び手洗い用流し７のうちいずれか１つ以上の排水設備を適用してもよい。例えば、洋式便器５、清掃用流し６及び／又は手洗い用流し７の排水設備を操作し、当該排水設備を介して下水管１０に排水を流す。これにより、作業者は、下水管１０内の状態を意図的に変化させつつ、各臭気センサ１６によってエチルアルコールガスを測定できる。
【００３６】
その他、例えば、継手５ｂなどの近傍に設置したプローブ１８ｃにて、所定量以上のエチルアルコールガスを検出したものの、部屋内２に設置したプローブ１８ａや、換気口３ｂ近傍に設置したプローブ１８ｂにて、所定量以上のエチルアルコールガスを検出しなかった場合、作業者は、建物に設置された換気設備（例えば、部屋２や他の部屋の換気装置）を動作させ、天井裏３内の空気の流れを意図的に変える。
【００３７】
その結果、継手５ｂなどの近傍に設置したプローブ１８ｃだけでなく、換気口３ｂ近傍に設置したプローブ１８ｂや、部屋内２に設置したプローブ１８ａでも、所定量以上のエチルアルコールガスを検出することもある。この場合、作業者は、換気装置により天井裏３内の空気の流れが変わり、継手５ｂなどから漏出した下水臭が換気口３ｂを通り部屋２内に侵入していると推測できる。よって、作業者は、不定期に部屋２内で下水臭を感じていた原因と、下水臭の部屋２への侵入経路と、を特定できる。
【００３８】
（１−３）作用及び効果
以上の構成において、本発明の臭気侵入経路特定方法では、エチルアルコールの濃度が４０％以上のエチルアルコール溶液を準備する（準備工程）。臭気侵入経路特定方法では、部屋２内で感じる臭気の種類が下水臭であると特定すると、天井裏３内にある下水管１０から換気口３ｂを介して部屋２に繋がる経路が、室内（部屋２）に下水臭が侵入する原因であると推測し、この経路を推定侵入経路として決定する（推定侵入経路決定工程）。
【００３９】
臭気侵入経路特定方法では、部屋２以外の場所（トイレ１）にあり、推定侵入経路の１つとした下水管１０と連通する掃除口８を、エチルアルコール溶液を推定侵入経路に流入させる流入位置として選定する（流入位置選定工程）。また、臭気侵入経路特定方法では、推定侵入経路とした下水管１０の位置や、換気口３ｂの位置を考慮して、下水臭が問題となっている部屋２において、臭気センサ１６のプローブ１８ａを設置する設置位置を選定する（設置位置選定工程）。この際、天井裏３に延設された下水管１０の所定位置や、換気口３ｂ、部屋２内など、推定侵入経路に沿って、その他の臭気センサ１６の１８ｂ、１８ｃ、１８ｄ、１８ｅを設置する設置位置も選定する。
【００４０】
その後、臭気侵入経路特定方法では、掃除口８から下水管１０にエチルアルコール溶液を流入し（流入工程）、臭気センサ１６のプローブ１８ａ、１８ｂ、１８ｃ、１８ｄ、１８ｅによって、エチルアルコール溶液が気化したエチルアルコールガスを測定する（測定工程）。
【００４１】
下水管１０の所定位置から下水臭が漏出し、当該下水臭が換気口３ｂを経由して部屋２内に侵入している場合には、下水管１０内でエチルアルコール溶液が気化して発生したエチルアルコールガスを、臭気センサ１６のプローブ１８ａ、１８ｂ、１８ｃ、１８ｄ、１８ｅで検出できる。従って、臭気侵入経路特定方法では、臭気センサ１６のエチルアルコールガスの測定結果を基に、下水臭の部屋２内への侵入経路を特定できる。
【００４２】
また、臭気侵入経路特定方法は、部屋２内にて不定期に下水臭を感じる場合、部屋２への下水臭の侵入に影響を与える事象（例えば、下水管１０内などに排水が流れる事象や、部屋２などの換気装置が動作する事象など）を推定する（事象推定工程）。臭気侵入経路特定方法では、例えば、下水管１０内の状態に影響を及ぼす排水設備から意図的に排水を流したり、或いは、換気装置を意図的に動作させるなどして、事象推定工程で推定した事象を再現する（再現工程）。臭気侵入経路特定方法では、再現工程にて事象を再現しつつ、臭気センサ１６によりエチルアルコールガスを測定する。
【００４３】
臭気侵入経路特定方法では、部屋２への下水臭の侵入に影響を与える事象を意図的に起こさせた際に、臭気センサ１６によりエチルアルコールガスを検出することで、部屋２内にて不定期に下水臭を感じていた原因と、下水臭の部屋２への侵入経路と、を特定できる。
【００４４】
また、臭気侵入経路特定方法は、流入位置で下水管１０にダクト２３を介して送風機２２を接続する（接続工程）。臭気侵入経路特定方法では、ダクト２３内にエチルアルコール溶液を噴霧器２１によって噴霧し、霧状のエチルアルコール溶液を下水管１０に送風機２２で送風する（送風工程）。
【００４５】
これにより、臭気侵入経路特定方法では、エチルアルコール溶液をより確実に下水管１０に流入させることができる。さらに、臭気侵入経路特定方法では、送風機２２による送風によって下水管１０内の圧力を高めることができるので、下水管１０の臭気漏出箇所からエチルアルコールガスの漏出を促し、臭気センサ１６にてエチルアルコールガスが検出し易くしなり得る。よって、部屋２内への下水臭の侵入経路を特定し易くできる。
【００４６】
（２）煙草臭の侵入経路の特定ついて（第２実施形態）
（２−１）煙草の侵入経路を特定する部屋について
室内で感じる臭気としては、大きく分けると、第１実施形態で説明した、排水系統に起因すると推定できる下水臭などの臭気と、換気系統に起因すると推定できる煙草臭や厨房臭などの臭気とが存在する。ここでは、換気系統に起因する臭気として煙草臭を一例として挙げ、室内への煙草臭の侵入経路を特定する場合について以下説明する。本実施形態では、図２に示すように、例えば住居３０と住居３１とが隣接する集合住宅を一例とし、住居３１の部屋３１ａにおいて、常時、或いは不定期に煙草臭を感じたときに、部屋３１ａへの煙草臭の侵入経路を特定する場合を例として説明する。
【００４７】
住居３１は、壁３８を挟んで住居３０と隣接している。ここでは住居３１は、例えば、部屋３１ａやキッチン３１ｂ、トイレ３１ｃ、浴室３１ｄなどの複数の部屋を有した、一般的な間取りとする。マンションなどの集合住宅では、換気系統の設備として、一般的に室内の空気を入れ替える換気設備が導入されており、住居３１の天井裏（図２に不図示）に、換気系統として給気ダクト３６や排気ダクト３７などの換気ダクトが設けられており、換気ダクトを利用して室内換気をすることができる。住居３０は、隣接する住居３１と壁３８により仕切られており、他の住居３１とは異なる居住空間を形成している。そのため、住居３０では、通常、隣接する住居３１内の臭気が、部屋３１ａやキッチン３１ｂなどの室内に侵入することはない。
【００４８】
部屋３１ａは、壁及びドアを介してキッチン３１ｂや玄関ホール３１ｅに隣接し、さらに壁を介してベランダ３１ｆが隣接されている。部屋３１ａのベランダ３１ｆに面した壁には、窓４０が設けられている。窓４０は、通常、閉状態としたとき気密性が高く、閉状態とすることで、ベランダ３１ｆの臭気が部屋３１ａ内へ侵入することを防止できる。天井裏に延設された給気ダクト３６は、例えば、ベランダ３１ｆに面した外壁に設けられた給気口３６ａに、一端が接続され、キッチンのガスレンジ３２近傍の天井に設けられた外気供給口（図２に不図示）に、他端が接続されている。同じく天井裏に延設された排気ダクト３７は、例えば、ガスレンジ３２近傍に設けられた換気装置（図２に不図示）に、一端が接続され、ベランダ３１ｆに面した外壁に設けられた排気口３７ａに、他端が接続されている。
【００４９】
通常、このような構成を有する換気設備では、排気口３７ａから排出された住居３１内の空気を給気口３６ａから取り込まないように、排気口３７ａと給気口３６ａとが離れた位置に設けられている。換気設備は、換気装置が動作すると、住居３１内（ここではキッチン３１ｂ）の空気を換気装置の吸引口から強制的に吸い込み、排気ダクト３７を介して排気口３７ａから住居３１外に排出する。これにより、住居３１では、住居３１内が陰圧となり、陰圧となった分だけ、給気口３６ａから外気が自然に吸入され、給気ダクト３６を介して外気供給口から住居３１内へ外気が供給される。
【００５０】
なお、住居３１と隣接する住居３０は、間取りや、換気設備の構成などが住居３１と同じであるので、ここでは、その説明は省略する。なお、この実施形態では、住居３０のベランダ３０ｆと、住居３１のベランダ３１ｆとが、壁３８により仕切られている。これにより、住居３０側に設けられた排気口３５ａから排出された空気が、住居３１側に流れることを防止している。そのため、通常は、住居３０側にて排気口３５ａから排出された空気が、隣接する住居３１の給気口３６ａから給気されることはない。
【００５１】
本実施形態では、例えば、本来であれば煙草臭を感じるはずのない部屋３１ａにおいて、常時又は不定期に煙草臭を感じるとき、部屋３１ａへの煙草臭の侵入経路を特定する場合について説明する。
【００５２】
（２−２）煙草臭の侵入経路を特定する臭気侵入経路特定方法について
部屋３１ａ内への煙草臭の侵入経路を特定する場合も、第１実施形態で使用した臭気侵入経路特定用具を用いる。なお、この第２実施形態では、上述した第１実施形態と異なり、送風機２２とダクト２３とを使用しない。この点以外は、臭気侵入経路特定用具の構成が同じであるので、臭気侵入経路特定用具の詳細な説明は省略する。
【００５３】
臭気侵入経路特定用具を用いる際、作業者は、居住者からのヒアリングや自身の嗅覚に基づいて、部屋３１ａ内で問題となっている臭気が煙草臭であることを特定する。次いで、作業者は、建物の見取り図を基に部屋３１ａ内に煙草臭が侵入する可能性が高い場所を推測する。作業者は、例えばヒアリングにより「住居３０の居住者が室内で喫煙している」との情報を得ると、住居３０の部屋３０ａから煙草臭が侵入してきた可能性があると推測できる。
【００５４】
ここでは、窓４０を閉めているにもかかわらず、居住者が部屋３１ａで煙草臭を感じた場合について説明する。この場合、作業者は、住居３１内において外気と連通する可能性がある換気系統に起因した経路が、部屋３１ａ内への煙草臭の侵入経路となっている可能性が高いと推定できる。そこで、作業者は、例えば、ベランダ３１ｆに面した窓４０のサッシの隙間から、何らかの理由で煙草臭が部屋３１ａ内に侵入した可能性や、さらには、外気と連通している給気口３６a経由で煙草臭が部屋３１ａ内に侵入してきた可能性を考える。すなわち、窓４０のサッシの隙間を通るルート、及び、給気ダクト３６を通るルートの２つを推定した侵入経路（推定侵入経路）として決定する。
【００５５】
次に、作業者は、居住者からのヒアリングにより、部屋３１ａ内において、居住者から煙草臭がするとの報告を受けた箇所をセンサ設置位置の１つとして選定する。また、作業者は、煙草臭の部屋３１ａへの推定侵入経路の１つとして決定した、窓４０のサッシ近傍をセンサ設置位置の１つとして選定する。さらに、作業者は、煙草臭の部屋３１ａへの推定侵入経路の１つとして決定した、給気ダクト３６の外気供給口があるキッチン３１ｂのガスレンジ３３近傍をセンサ設置位置の１つとして選定する。
【００５６】
次いで、臭気測定装置１５を部屋３１ａに設置する。ここで、本実施形態の臭気測定装置１５は、３つの臭気センサ１６を有している点以外は、上述の臭気測定装置１５と同様の構成である。各臭気センサ１６は、それぞれ、プローブ１８ａ、１８ｂ、１８ｃを備えている。本実施形態では、このような臭気センサ１６のプローブ１８ａを、センサ設置位置として選定した、窓４０のサッシ近傍に設置する。他の臭気センサ１６のプローブ１８ｂは、居住者から煙草臭がすると報告を受けた部屋３１ａ内の所定場所（センサ設置位置であり、ここでは壁３８近傍）に設置する。さらに、残りの臭気センサ１６のプローブ１８ｃは、センサ設置位置として選定したガスレンジ３３近傍に設置する。
【００５７】
続いて、作業者は、決定した推定侵入経路にエチルアルコールガスを流入させる流入位置を探す。この実施形態の場合、事前のヒアリングにより、煙草臭の発生場所として、隣接する住居３０の部屋３０ａが考えられる。そこで、作業者は、調査対象である部屋３１ａ以外の場所で推定侵入経路と連通する箇所として、隣の部屋３０ａを、エチルアルコール溶液の流入位置として選定する。作業者は、エチルアルコールの濃度が４０％以上のエチルアルコール溶液を予め準備しており、当該エチルアルコール溶液が容器に収容された噴霧器２１によって、アルコール溶液を、流入位置として選定した他の部屋３０ａ内に噴霧する。このようにして、推定侵入経路にアルコール溶液を流入させる。エチルアルコール溶液は、他の部屋３０ａ内に噴霧されることで、他の部屋３０ａ内で気化し、エチルアルコールガスとなる。他の部屋３０ａ内のエチルアルコールガスは、他の部屋３０ａ内の空気の流れに沿って移動してゆく。
【００５８】
次いで、部屋３１ａ内の窓４０のサッシ近傍にプローブ１８ａを設置した臭気センサ１６や、壁３８近傍にプローブ１８ｂを設置した臭気センサ１６、ガスレンジ３３近傍にプローブ１８ｃを設置した臭気センサ１６によって、エチルアルコールガスをそれぞれ測定する。ここでは、エチルアルコール溶液を推定侵入経路に流入（他の部屋３０ａ内に噴霧）させた後、すぐに測定を開始し、臭気測定装置１５におけるＰＣ１９の表示画面で、各臭気センサ１６の出力値を確認しながら、各臭気センサ１６で検出されたエチルアルコールガスの検出量の時系列変化を測定する。
【００５９】
本実施形態においても、例えば、窓４０の開放度合いの変化や換気装置の動作状態の変化による部屋３１ａ内の空気の流れの変化などの室内（部屋３１ａ）への臭気の侵入に影響を与える事象が生じうる。したがって、作業者は、必要に応じてこれら事象についても考慮して、部屋３１ａ内への煙草臭の侵入経路を特定する。以下、部屋３１ａ内への臭気の侵入に影響を与える事象を考慮せずにエチルアルコールガスを測定する場合と、当該事象を考慮してエチルアルコールを測定する場合とに分けて、エチルアルコールガスの測定手順を説明する。
【００６０】
（２−２−１）部屋内への煙草臭の侵入に影響を与える事象を考慮せずにエチルアルコールガスを測定する場合
この場合、窓４０を閉め、住居３０及び住居３１の換気装置を停止して、住居３０及び住居３１内の空気の流れを変えずに各臭気センサ１６によってエチルアルコールガスを測定する。
【００６１】
これにより、例えば、壁３８の近傍に設置したプローブ１８ｂで、所定量以上のエチルアルコールガスを検出した場合には、他の部屋３０ａ内で発生したエチルアルコールガスが、何らかの経路を辿って部屋３１ａにまで到達していることが確認できる。かくして、作業者は、部屋３１ａ内で感じた煙草臭の侵入経路が、他の部屋３０ａからであることを特定できる。
【００６２】
この際、例えば、窓４０のサッシ近傍に設置したプローブ１８ａで、所定量以上のエチルアルコールガスを検出し、ガスレンジ３３近傍に設置した他のプローブ１８ｃでは、所定量以上のエチルアルコールを検出しないこともある。このような場合には、他の部屋３０ａ内のいずれかの箇所からベランダ３０ｆに漏出したエチルアルコールガスが、ベランダ３１ｆを経由し、窓４０のサッシの隙間を通って部屋３１ａ内へ侵入していることが確認できる。従って、作業者は、臭気センサ１６の測定結果を基に、他の部屋３０ａ内で発生した煙草臭が当該部屋３０ａからベランダ３０ｆに漏出した後、ベランダ３１ｆ及び窓４０のサッシ部分を経由して部屋３１ａ内に侵入する、侵入経路を特定できる。
【００６３】
さらに、ガスレンジ３３近傍に設置したプローブ１８ｃで、所定量以上のエチルアルコールガスを検出し、窓４０のサッシ近傍に設置したプローブ１８ａで、所定量以上のエチルアルコールを検出しないことがある。この場合、部屋３０ａのいずれかの箇所からベランダ３０ｆに漏出したエチルアルコールガスが、給気口３６ａから給気ダクト３６を介してキッチン３１ｂに侵入していることが確認できる。さらに、キッチン３１ｂに侵入したエチルアルコールガスが、キッチン３１ｂから部屋３１ａへと拡散していると考えられる。かくして、作業者は、臭気センサ１６の測定結果を基に、他の部屋３０ａ内で発生した煙草臭が当該部屋３０ａからベランダ３０ｆに漏出した後、ベランダ３１ｆ及び給気ダクト３６を経由してキッチン３１ｂに侵入し、キッチン３１ｂから部屋３１ａ内へ拡散する、侵入経路を特定できる。
【００６４】
また、部屋３１ａ内に設置したプローブ１８ｂで、所定量以上のエチルアルコールガスを検出したものの、他の場所に設置したプローブ１８ａ、１８ｃで、所定量以上のエチルアルコールガスを検出しないこともある。この場合には、煙草臭がベランダ３１ｆ側から部屋３１ａ内に侵入している可能性が低く、煙草臭が他の場所から部屋３１ａ内に侵入していることが確認できる。この場合、作業者は、建物の見取り図を基に、例えば玄関のドアの隙間など部屋３１ａ内に煙草臭が侵入する可能性が高い場所を改めて推測し、推定侵入経路の決定を再び行う。
【００６５】
（２−２−２）部屋内への煙草臭の侵入に影響を与える事象を考慮してエチルアルコールを測定する場合
いずれの臭気センサ１６でもエチルアルコールガスを検出しなかった場合は、部屋３１ａ内への煙草臭の侵入に影響を与える、何らかの事象があると考えられる。そこで、作業者は、時間経過に伴う周辺環境の変化を考慮して、しばらくの間継続してエチルアルコールガスを測定する。また、作業者は、時間経過に伴う周辺環境の変化以外にも、例えば、窓４０を開放したり、或いは、部屋３０ａや部屋３１ａの換気装置を動作させたりして住居内の３０、３１空気の流れを意図的に変える。このように、作業者は、部屋３１ａ内への煙草臭の侵入に影響を与えると思われる、不定期に発生する事象を、意図的に起こして、エチルアルコールガスを測定し、煙草臭の部屋３１ａ内への侵入経路を特定する。
【００６６】
例えば、住居３０の居住者からのヒアリングにより、「部屋３０ａで喫煙するときは換気装置を動作させている」との情報を取得し、住居３１の居住者からのヒアリングにより、「換気装置を動作させているときに煙草臭を感じる」との情報を取得したとする。この場合は、換気装置の動作による住居３０、３１内の空気の流れの変化も部屋３１ａへの煙草臭の侵入の一因であると考えられる。そこで作業者は、住居３０及び住居３１の換気装置を動作させる。このようにして各住居内の空気の流れを変えつつ部屋３０ａにおいてエチルアルコール溶液を噴霧器２１で噴霧し、推定侵入経路にエチルアルコール溶液を流入させ、各臭気センサ１６によってエチルアルコールガスを測定する。
【００６７】
その結果、まずガスレンジ３３近傍に設置したプローブ１８ｃにて所定量以上のエチルアルコールガスを検出し、続いて、部屋３１ａの壁３８近傍に設置したプローブ１８ｂにて所定量以上のエチルアルコールガスを検出することもある。この場合は、住居３０、３１の換気装置の動作により、部屋３０ａ内のエチルアルコールガスが排気ダクト３５を介して排気口３５ａからベランダ３０ｆに排出され、当該排出されたエチルアルコールガスが、住居３１内が陰圧となったことにより、給気口３６ａから給気ダクト３６を介してキッチン３１ｂ内に吸入されることが確認できる。このような測定結果から、作業者は、住居３０の部屋３０ａ内の煙草臭が、換気装置の動作により、排気ダクト３５を介してベランダ３０ｆに排出され、ベランダ３０ｆからベランダ３１ｆに伝わった煙草臭が、給気口３６ａから給気ダクト３６を介してキッチン３１ｂに吸入され、キッチン３１ｂから部屋３１ａへと煙草臭が拡散する、煙草臭の侵入経路を特定できる。
【００６８】
（２−３）作用及び効果
以上の構成において、本発明の臭気侵入経路特定方法では、エチルアルコールの濃度が４０％以上のエチルアルコール溶液を準備する（準備工程）。臭気侵入経路特定方法では、室内（部屋３１ａ内）で感じる臭気の種類が煙草臭であると特定すると、居住者からのヒアリングで得た情報や住居３１の構造から、窓４０のサッシの隙間から侵入するルート、及び、外気と連通する給気ダクト３６から侵入するルートが、部屋３１ａに煙草臭が侵入する経路であると推測し、この経路を推定侵入経路として決定する（推定侵入経路決定工程）。
【００６９】
臭気侵入経路特定方法では、部屋３１ａ以外の場所（住居３０内）にあり、居住者からのヒアリングをもとに煙草臭の発生原因として推定した部屋３０ａを、エチルアルコール溶液を推定侵入経路に流入させる流入位置として選定する（流入位置選定工程）。また、臭気侵入経路特定方法では、推定侵入経路とした窓４０のサッシや給気ダクト３６の位置を考慮して、煙草臭が問題となっている部屋３１ａにおいて、臭気センサ１６のプローブ１８ｂを設置する設置位置を選定する（設置位置選定工程）。この際、窓４０のサッシ近傍や、給気ダクト３６が接続された外気供給口近傍（キッチン３１ｂのガスレンジ３３近傍）など、推定侵入経路に沿って、その他の臭気センサ１６の１８ａ、１８ｃを設置する設置位置も選定する。
【００７０】
その後、臭気侵入経路特定方法では、部屋３０ａ内でエチルアルコール溶液を噴霧器２１で噴霧してエチルアルコール溶液を推定侵入経路に流入し（流入工程）、臭気センサ１６のプローブ１８ａ、１８ｂ、１８ｃによって、エチルアルコール溶液が気化したエチルアルコールガスを測定する（測定工程）。
【００７１】
部屋３０ａから何らかの経路をたどって煙草臭が住居３０外に漏出し、当該煙草臭が給気ダクト３６をたどってキッチン３１ｂに侵入し、キッチン３１ｂから煙草臭が部屋３１ａに拡散している場合には、部屋３０ａ内でエチルアルコール溶液が気化して発生したエチルアルコールガスを、臭気センサ１６のプローブ１８ｃで検出できる。従って、臭気侵入経路特定方法では、臭気センサ１６のエチルアルコールガスの測定結果を基に、煙草臭の部屋３１ａ内への侵入経路を特定できる。
【００７２】
また、臭気侵入経路特定方法は、いずれの臭気センサ１６でもエチルアルコールガスを検出しない場合、部屋３１ａへの煙草臭の侵入に影響を与える事象（例えば、住居３０及び住居３１の換気装置が動作する事象など）を推定する（事象推定工程）。臭気侵入経路特定方法では、例えば、住居３０及び住居３１の換気装置を動作させて住居３０内及び住居３１内の空気の流れを意図的に変えるなどして、事象推定工程で推定した事象を再現する（再現工程）。臭気侵入経路特定方法では、再現工程にて事象を再現しつつ、臭気センサ１６によりエチルアルコールガスを測定する。
【００７３】
臭気侵入経路特定方法では、部屋３１ａへの煙草臭の侵入に影響を与える事象を意図的に起こさせた際に、臭気センサ１６によりエチルアルコールガスを検出することで、部屋３１ａ内にて煙草臭を感じていた原因と、煙草臭の部屋３１ａへの侵入経路と、を特定できる。
【００７４】
（３）変形例
なお、本発明は上述した実施形態に限定されるものではなく、本発明の要旨の範囲内において種々の変形実施が可能であり、例えば、臭気を測定する測定位置の数は適宜変更することができる。この場合、臭気測定装置は、臭気を測定する測定位置の数に応じた数の臭気センサ１６を備えた構成とする。
【００７５】
上記の第１実施形態、及び、第２実施形態では、エチルアルコール溶液を噴霧器２１によって霧状にして推定侵入経路に流入させた場合について説明したが、本発明はこれに限らない。本発明では、エチルアルコール溶液を推定侵入経路に流入させることができれば、その手法は限定されず、例えば、エチルアルコール溶液をそのまま推定侵入経路に流入させてもよい。
【００７６】
上記の第１実施形態では、霧状のエチルアルコール溶液を送風機２２で掃除口８から推定侵入経路に流入させた場合について説明したが、本発明はこれに限られず、送風機２２を用いずに、掃除口８から推定侵入経路にアルコール溶液を噴霧器２１で直接噴霧してもよい。また、掃除口８周辺の雰囲気中にエチルアルコール溶液を噴霧し、自然にエチルアルコール溶液が推定侵入経路に流入するようにしてもよい。
【００７７】
上記の第１実施形態では、エチルアルコール溶液を推定侵入経路に注入させる流入位置として掃除口８を選定した場合について説明したが、本発明はこれに限られず、例えば、洋式便器５、清掃用流し６、又は手洗い用流し７を流入位置として選定してもよい。この場合、洋式便器５、清掃用流し６、及び手洗い用流し７にエチルアルコール溶液を注ぐことで、エチルアルコール溶液を下水管１０に流入させることができる。
【００７８】
上記の第１実施形態では、継手５ｂ、６ｂ、７ｂの近傍に臭気センサ１６のプローブ１８ｃ、１８ｄ、１８ｅをそれぞれ天井裏３に固定するようにして設置し、エチルアルコールガスを測定した場合について説明したが、本発明はこれに限られず、プローブ１８を天井裏３に固定せずに、作業者が１つのプローブ１８ｃを手に持ち、当該プローブ１８ｃを各測定位置に移動させて、その都度、エチルアルコールガスを測定するようにしてもよい。
【００７９】
上記の第１実施形態、及び、第２実施形態では、侵入経路特定工程において、エチルアルコールガスの測定結果に基づいて、臭気（下水臭、煙草臭）の侵入経路を特定した場合について説明したが本発明はこれに限られない。例えば、侵入経路特定工程において、エチルアルコールガスの測定結果に基づいて臭気の侵入経路を特定した後に、臭気センサ１６の配置を変えてより詳細に臭気の侵入経路を特定するようにしてもよい。この場合について、上記で説明した第１実施形態を例として、図１を参照して、第１実施形態と異なる点を中心に説明する。まず、上述したエチルアルコール溶液を用意する際に、併せて、エチルアルコールの濃度が６０％以上の再測定用エチルアルコール溶液も準備する（準備工程）。
【００８０】
次に、継手５ｂ近傍から下水臭が漏出していると臭気の侵入経路を特定したことから、より詳細に下水臭の漏出箇所を特定するために、下水管１０及び継手５ｂ間の繋ぎ目５１、５２近傍と、排水管５ａ及び継手５ｂ間の繋ぎ目５３近傍とに臭気センサ１６のプローブ１８（再配置したプローブ１８は不図示）を再配置する（再配置工程）。
【００８１】
続いて、掃除口８から下水管１０（侵入経路）に再測定用エチルアルコールを流入させる（再流入工程）。そして上記で説明したエチルアルコールの測定方法と同様の方法で、再測定用エチルアルコール溶液が下水管１０内で気化して発生したエチルアルコールガスを測定する。例えば、下水管１０及び継手５ｂ間の継ぎ目５１近傍に配置したプローブ１８にてエチルアルコールガスを最も早く検出し、その後、他の繋ぎ目５２、５３近傍に配置したプローブ１８でエチルアルコールガスを検出した場合は、繋ぎ目５１近傍からエチルアルコールが漏出し、エチルアルコールガスが繋ぎ目５２、５３近傍に伝わっていくことが確認できる。よって、継手５ｂと下水管１０の繋ぎ目５１近傍から下水管１０内の臭気が漏出し、天井裏３を伝わって、換気口３ｂから部屋２内へ侵入してくると、より詳細に臭気の侵入経路を特定できる（侵入経路再特定工程）。このように、継手５ｂと下水管１０の繋ぎ目５１近傍から臭気が漏出しているというように、臭気の侵入経路をより詳細に特定することで、臭気の漏出を防止するために、継手５ｂ全体ではなく、繋ぎ目５１のみを補修すればよく、より容易に臭気の侵入の防止策を講じることができる。
【００８２】
なお、変形例の再測定用エチルアルコール溶液のエチルアルコール濃度は、エチルアルコール溶液の濃度よりも高いほうが望ましい。これはセンサへの感度を高めることで、より微量な漏れの検知を行えるためである。また、再測定用エチルアルコール溶液のエチルアルコール濃度を６０〜８０％とし、エチルアルコール溶液の濃度を４０〜５０％とすることがさらに望ましい。
【００８３】
８    掃除口
１０    下水管
１５    臭気測定装置
１６    臭気センサ
１７    センサ本体
１８    プローブ
２１    噴霧器
２２    送風機
３４、３６    給気ダクト
３５、３７    排気ダクト
【図１】
2019066355.tif 000003
【図２】
2019066355.tif 000004